(57)【特許請求の範囲】
【請求項１】
押圧されると押されたことを検知した信号を出力し、押圧がなくなると押されていないことを検知する信号を出力する検出スイッチを複数有し、これら複数の検出スイッチが互いに異なる位置に設けられた本体、
上記複数の検出スイッチの少なくともいずれか一つに対応する位置に設けられた突起体、
この突起体が設けられ、上記本体に対して着脱可能に装着された装着部材、
上記突起体を異なる位置に設けた装着部材の選択により、上記検出スイッチから異なる信号が入力され、上記本体に異なる機能を動作させる制御部を備え、
上記本体に上記装着部材が装着された場合に上記突起体が上記複数の検出スイッチのいずれかを押圧し、当該押圧された検出スイッチから出力された信号に応じて、上記制御部が上記複数の信号処理動作から選択した信号処理動作を行うことを特徴とする信号処理装置。
【発明の詳細な説明】
【０００１】
【発明の属する技術分野】
この発明は、本体と着脱可能である装着部材を有する信号処理装置に関する。
【０００２】
【従来の技術】
近年、携帯電話機等の端末装置は、各世代に普及しており、デザインや機構的に多種多様なものが出現している。その一つとしてフリップを設けることによって折り畳み式とし、カバンやポケットへの収納時にボタンキーを保護することができる折り畳み式端末装置が採用されている。
【０００３】
図８は、フリップを設けた従来の折り畳み式端末装置の構成を示すブロック図であり、１は無線信号の送受信を行うアンテナ、２はアンテナ１を介して送受信を行う無線信号を処理する送受信部、３は装置全体の制御を行う制御部、４は制御部３が実行する各種プログラムが格納及び各情報が記憶されているメモリ、５は文字・画像等の情報を表示する表示部、６は音声を出力するスピーカ、７は音声を入力するマイク、８は使用者が折り畳み式端末装置への指示を入力するボタンキー等が設けられたキーボード、９は折り畳み式端末装置が開状態又は閉状態へ変化したことを検出する開閉検出部、１０は内部に送受信部２、制御部３、メモリ４等を備えた本体、１１は本体と開閉し、本体と着脱が可能なフリップ、１２は開閉検出部９を動作させる開閉操作部、１３はフリップ１１に設けられたフリップボタンである。
【０００４】
図９は、従来の折り畳み式端末装置のフリップ１１が開状態での外観図であり、フリップボタン１３はフリップ１１が閉じられているときに操作されることにより、キーボード８のボタンキー「２」を押すことができる位置に設けられている。１４は後述する突起体に押されるアクチュエータ、１５は開閉操作部１２の一例としての突起体であり、アクチュエータ１４の位置に対応してフリップに設けられ、フリップ１１が閉じられたときにアクチュエータ１４を押し、フリップ１１が開かれたときにアクチュエータ１４から離れるように操作される。
【０００５】
図１０は、従来の折り畳み式端末装置のフリップ１１閉状態における開閉検出部９及びフリップボタン１３周辺の外観図及び断面図であり、１６は開閉検出部９の一例であり、フリップが閉じたときアクチュエータ１４を介して突起体１５に押されて閉じる開閉検出スイッチ、１７は開閉検出スイッチ１６及び各ボタンキーに押されるスイッチが配設されたスイッチ基板である。
【０００６】
次に、図８〜図１０により、フリップ１１が開状態及び閉状態での動作について説明する。使用者が、開いている折り畳み式端末装置のフリップ１１を閉じると、突起体１５がアクチュエータ１４を介して開閉検出スイッチ１６を押す。押圧された開閉検出スイッチ１６が閉じることにより、フリップ１１が閉じられたことを検知した閉検知信号が制御部３に入力される。制御部３は、閉検知信号を入力すると、フリップ１１が閉状態であることをメモリ４に記憶させる。
【０００７】
一方、使用者が、閉じている折り畳み式端末装置のフリップ１１を開くと、突起体１５がアクチュエータ１４から離れ、開閉検出スイッチ１６が開くことにより、フリップ１１が開いたことを検知した開検知信号が制御部３に入力される。制御部３は、開検知信号を入力すると、フリップ１１が開状態であることをメモリ４に記憶させる。従って、メモリ４にはフリップ１１が開状態にあるか、閉状態にあるかを常時記憶している。
【０００８】
次に、フリップ１１が開いているときに、使用者がキーボード８のボタンキー「２」を押下したとすると、ボタンキー「２」が押されたことを検知した信号が制御部３に入力される。制御部３は、フリップ１１が開状態か閉状態かをメモリ４から読み出し、フリップ１１が開状態であることを認識すると、表示部５に「２」を表示させる。
【０００９】
また、フリップ１１が閉じているときに、使用者がフリップボタン１３を押下することによって、ボタンキー「２」を押下したとする。このとき、フリップ１１の開時と同様にボタンキー「２」が押されたことを検知した信号が制御部３に入力されるが、制御部３は、フリップ１１が開状態か閉状態かをメモリ４から読み出し、フリップ１１が閉状態であることを認識すると、短縮ダイヤル発信を動作させる。すなわち、メモリ４にフリップ１１の開閉状態を記憶させておくことにより、ボタンキー「２」が押されたときに、開状態と閉状態とで異なる動作をする。
【００１０】
【発明が解決しようとする課題】
近年、折り畳み式端末装置は広く一般に普及し、小型化が求められると同時に多機能化も求められている。しかし、従来の折り畳み式端末装置では、本体とフリップが一対一の構成になっており、多機能化させようとすると、ボタンキーを増やす必要が出てきて、小型化が妨げられるという問題点があった。
【００１１】
この発明は、上記のような課題を解決するためになされたもので、小型化を妨げることなく、多機能化することを目的とするものである。
【００１２】
【課題を解決するための手段】
この発明は、押圧されると押されたことを検知した信号を出力し、押圧がなくなると押されていないことを検知する信号を出力する検出スイッチを複数有し、これら複数の検出スイッチが互いに異なる位置に設けられた本体、上記複数の検出スイッチの少なくともいずれか一つに対応する位置に設けられた突起体、この突起体が設けられ、上記本体に対して着脱可能に装着された装着部材、上記突起体を異なる位置に設けた装着部材の選択により、上記検出スイッチから異なる信号が入力され、上記本体に異なる機能を動作させる制御部を備え、上記本体に上記装着部材が装着された場合に上記突起体が上記複数の検出スイッチのいずれかを押圧し、当該押圧された検出スイッチから出力された信号に応じて、上記制御部が上記複数の信号処理動作から選択した信号処理動作を行うものである。
【００１３】
【発明の実施の形態】
実施の形態１．図１は、フリップ１１が本体１０に装着されている折り畳み式端末装置の外観図であり、フリップ１１が開状態のときを示している。
【００１４】
図２は、タイプの異なる３種類のフリップ１１を示したものであり、各フリップ１１ａ、１１ｂ、及び１１ｃは突起体１５ａ、１５ｂ、及び１５ｃの設けられた位置が異なるが、いずれも折り畳み式端末装置に対して着脱可能である。そして、突起体１５ａ、１５ｂ、及び１５ｃは、フリップ１１ａ、１１ｂ、及び１１ｃが本体１０に装着され、閉じられたときに、アクチュエータ１４ａ、１４ｂ、及び１４ｃにそれぞれ対応する位置に設けられている。
【００１５】
図３は、折り畳み式端末装置のフリップ１１閉状態における開閉検出スイッチ１６及びフリップボタン１３周辺の外観図及び断面図であり、開閉検出スイッチ１６ａ、１６ｂ、及び１６ｃは、アクチュエータ１４ａ、１４ｂ、及び１４ｃにそれぞれ対応する位置に設けられている。
【００１６】
図４は、フリップ１１を交換することによる機能の変化例を示した表である。図４（ａ）は、フリップボタン１３押下時に動作する機能の内容の変更例を示している。図４（ｂ）は、フリップボタン１３押下時に動作する機能の数の変更例を示しているが、機能数の変更に応じてフリップボタン１３の数が１個、２個、及び３個のフリップ１１を交換する場合である。図４（ｃ）は、フリップ１１開閉時に動作する機能の変更例を示している。
【００１７】
次に、図１〜図４（ａ）、及び図８により、フリップ１１が開及び閉状態での動作について説明する。なお、図８は従来技術の説明に用いたが、メモリ４に記憶されている各種プログラム及び各情報が異なるだけでブロックの構成としてはほぼ同様であるので、実施の形態の説明でも便宜上使用して説明することとする。
【００１８】
まず、突起体１５ａが設けられたフリップ１１ａを折り畳み式端末装置に装着した場合について説明する。使用者が、開状態のフリップ１１ａを閉じると、突起体１５ａがアクチュエータ１４ａを介して、開閉検出スイッチ１６ａを押す。押圧された開閉検出スイッチ１６ａが閉じることによって、フリップ１１ａが閉じられたことを検知した閉検知信号が制御部３に入力される。制御部３は、フリップ１１ａが閉状態であること、及び開閉検出スイッチ１６ａから閉検知信号を入力したことにより装着されているフリップがフリップ１１ａであることをメモリ４に記憶させる。
【００１９】
一方、使用者が、閉状態のフリップ１１ａを開くと、突起体１５ａがアクチュエータ１４ａから離れ、開閉検出スイッチ１６ａが開くことにより、フリップ１１ａが開いたことを検知した開検知信号が制御部３に入力される。制御部３は、開検知信号を入力すると、フリップ１１ａが開状態であることをメモリ４に記憶させる。
【００２０】
次に、フリップ１１ａが開状態のときに、使用者がキーボード８のボタンキー「２」を押下したとすると、ボタンキー「２」が押されたことを検知した信号が制御部３に入力される。制御部３は、フリップ１１ａが開状態か閉状態かをメモリ４から読み出し、フリップ１１ａが開状態であることを認識すると、表示部５に「２」を表示させる。
【００２１】
また、フリップ１１ａが閉状態のときに、使用者がフリップボタン１３を押下することによって、ボタンキー「２」を押下したとすると、ボタンキー「２」が押されたことを検知した信号が制御部３に入力される。制御部３は、フリップ１１ａが開状態か閉状態かをメモリ４から読み出し、フリップ１１ａが閉状態であることを認識するとともに、装着されたフリップがフリップ１１ａであることを認識すると、図４（ａ）に示すようにマナーモードを動作させる。
【００２２】
次に、突起体１５ｂが設けられたフリップ１１ｂを折り畳み式端末装置に装着した場合について説明する。使用者が、開状態のフリップ１１ｂを閉じると、突起体１５ｂがアクチュエータ１４ｂを介して開閉検出スイッチ１６ｂを押す。押圧された開閉検出スイッチ１６ｂが閉じることによって、フリップ１１ｂが閉じられたことを検知した閉検知信号が制御部３に入力される。制御部３は、フリップ１１ｂが閉状態であること、及び開閉検知スイッチ１６ｂから閉検知信号を入力したことにより装着されているフリップがフリップ１１ｂであることをメモリ４に記憶させる。
【００２３】
一方、使用者が、閉状態のフリップ１１ｂを開くと、突起体１５ｂがアクチュエータ１４ｂから離れ、開閉検出スイッチ１６ｂが開くことにより、フリップ１１ｂが開いたことを検知した開検知信号が制御部３に入力される。制御部３は、開検知信号を入力すると、フリップ１１ｂが開状態であることをメモリ４に記憶させる。
【００２４】
次に、フリップ１１ｂが開状態のときに、使用者がキーボード８のボタンキー「２」を押下したとすると、上記フリップ１１ａが装着された場合と同様に、表示部５に「２」が表示される。
【００２５】
また、フリップ１１ｂが閉状態のときに、使用者がフリップボタン１３を押下することによってボタンキー「２」を押下したとすると、ボタンキー「２」が押されたことを検知した信号が制御部３に入力される。制御部３は、フリップ１１ｂが開状態か閉状態かをメモリ４から読み出し、フリップ１１ｂが閉状態であることを認識するとともに、装着されたフリップがフリップ１１ｂであることを認識すると、図４（ａ）に示すように受信メール機能を動作させる。すなわち、上述のフリップ１１ａが装着され、かつ閉状態のときにボタンキー「２」が押された場合に動作させたマナーモードと異なる機能を動作させることができる。
【００２６】
さらに、突起体１５ｃが設けられたフリップ１１ｃを折り畳み式端末装置に装着した場合について説明する。使用者が、開状態のフリップ１１ｃを閉じると、突起体１５ｃがアクチュエータ１４ｃを介して開閉検出スイッチ１６ｃを押す。押圧された開閉検出スイッチ１６ｃが閉じることによって、フリップ１１ｃが閉じられたことを検知した閉検知信号が制御部３に入力される。制御部３は、フリップ１１ｃが閉状態であること、及び開閉検出スイッチ１６ｃから閉検知信号を入力したことにより装着されているフリップがフリップ１１ｃであることをメモリ４に記憶させる。
【００２７】
一方、使用者が、閉状態のフリップ１１ｃを開くと、突起体１５ｃがアクチュエータ１４ｃから離れ、開閉検出スイッチ１６ｃが開くことによりフリップ１１ｃが開いたことを検知した開検知信号が制御部３に入力される。制御部３は、開検知信号を入力すると、フリップ１１ｃが開状態であることをメモリ４に記憶させる。
【００２８】
次に、フリップ１１ｃが開状態のときに、使用者がキーボード８のボタンキー「２」を押下したとすると、上記フリップ１１ａ及びフリップ１１ｂが装着された場合と同様に、表示部５に「２」が表示される。
【００２９】
また、フリップ１１ｃが閉状態のときに、使用者がフリップボタン１３を押下することによって、ボタンキー「２」を押下したとすると、ボタンキー「２」が押されたことを検知した信号が制御部３に入力される。制御部３は、フリップ１１ｃが開状態か閉状態かをメモリ４から読み出し、フリップ１１ｃが閉状態であることを認識するとともに、装着されたフリップがフリップ１１ｃであることを認識すると、図４（ａ）に示すように音声メモ再生機能を動作させる。すなわち、ボタンキー「２」が押されたときに、フリップ１１ａ及びフリップ１１ｂが装着されていた場合に動作させた機能とは異なる機能を動作させることができる。
【００３０】
これによって、フリップ１１を交換するだけで、フリップボタン１３押下時に、それぞれ異なる多種の機能を動作させることができる。
【００３１】
なお、上記実施の形態１では、図２のようにフリップボタン１３が１つだけ設けられたフリップ１１を使用したが、フリップボタン１３が複数設けられたフリップ１１を使用し、複数あるフリップボタン１３毎に動作させる機能を変えてもよい。
【００３２】
実施の形態２．
図５は、突起体１５が設けられた位置及びフリップボタン１３の数が異なる３種類のフリップ１１であり、いずれも折り畳み式端末装置に対して着脱可能である。フリップボタン１３ａはフリップ１１ｄ及びフリップ１１ｆに設けられており、フリップ１１ｄ、１１ｆが閉じられているときにキーボード８のボタンキー「２」を押すことができる位置に設けられている。また、フリップボタン１３ｂ及び１３ｃはフリップ１１ｅ及びフリップ１１ｆに設けられており、フリップ１１ｅ、１１ｆが閉じられているときにキーボード８のボタンキー「１」及び「３」を押すことができる位置に設けられている。
【００３３】
次に、図１、図３、図４（ｂ）、図５、及び図８により、フリップ１１が開及び閉状態での動作について説明する。まず、フリップ１１ｄが折り畳み式端末装置に装着された場合について説明する。使用者が、開状態のフリップ１１ｄを閉じると、突起体１５ａがアクチュエータ１４ａを介して開閉検出スイッチ１６ａを押す。押圧された開閉検出スイッチ１６ａが閉じることによって、フリップ１１ｄが閉じられたことを検知した閉検知信号が制御部３に入力される。制御部３は、フリップ１１ｄが閉状態であること、及び開閉検出スイッチ１６ａから閉検知信号を入力したことにより装着されているフリップがフリップ１１ｄであることをメモリ４に記憶させる。
【００３４】
一方、使用者が、閉状態のフリップ１１ｄを開くと、突起体１５ａがアクチュエータ１４ａから離れ、開閉検出スイッチ１６ａが開くことにより、フリップ１１ｄが開いたことを検知した開検知信号が制御部３に入力される。制御部３は、開検知信号を入力すると、フリップ１１ｄが開状態であることをメモリ４に記憶させる。
【００３５】
次に、フリップ１１ｄが開状態のときに、使用者がキーボード８のボタンキー「２」を押下したとすると、ボタンキー「２」が押されたことを検知した信号が制御部３に入力される。制御部３は、フリップ１１ｄが開状態か閉状態かをメモリ４から読み出し、フリップ１１ｄが開状態であることを認識すると、表示部５に「２」を表示させる。
【００３６】
また、フリップ１１ｄが閉状態のときに、使用者がフリップボタン１３ａを押下することによってボタンキー「２」を押下したとすると、ボタンキー「２」が押されたことを検知した信号が制御部３に入力される。制御部３は、フリップ１１ｄが開状態か閉状態かをメモリ４から読み出し、フリップ１１ｄが閉状態であることを認識するとともに、装着されたフリップがフリップ１１ｄであることを認識すると、図４（ｂ）に示すようにマナーモードを動作させる。
【００３７】
次に、フリップ１１ｅが折り畳み式端末装置に装着された場合について説明する。使用者が、開状態のフリップ１１ｅを閉じると、突起体１５ｂがアクチュエータ１４ｂを介して開閉検出スイッチ１６ｂを押す。押圧された開閉検出スイッチ１６ｂが閉じることによって、フリップ１１ｅが閉じられたことを検知した閉検知信号が制御部３に入力される。制御部３は、フリップ１１ｅが閉状態であること、及び開閉検出スイッチ１６ｂから閉検知信号を入力したことにより装着されているフリップがフリップ１１ｅであることをメモリ４に記憶させる。
【００３８】
一方、使用者が、閉状態のフリップ１１ｅを開くと、突起体１５ｂがアクチュエータ１４ｂから離れ、開閉検出スイッチ１６ｂが開くことにより、フリップ１１ｅが開いたことを検知する開検知信号が制御部３に入力される。制御部３は、開検知信号を入力すると、フリップ１１ｅが開状態であることをメモリ４に記憶させる。
【００３９】
次に、フリップ１１ｅが開状態のときに、使用者がキーボード８のボタンキー「１」を押下したとすると、ボタンキー「１」が押されたことを検知した信号が制御部３に入力される。制御部３は、フリップ１１ｅが開状態か閉状態かをメモリ４から読み出し、フリップ１１ｅが開状態であることを認識すると、表示部５に「１」を表示させる。同様に、使用者がキーボード８のボタンキー「３」を押下したとすると、ボタンキー「３」が押されたことを検知した信号が制御部３に入力される。制御部３は、フリップ１１ｅが開状態か閉状態かをメモリ４から読み出し、フリップ１１ｅが開状態であることを認識すると、表示部５に「３」を表示させる。
【００４０】
また、フリップ１１ｅが閉状態のときに、使用者がフリップボタン１３ｂを押下することによってボタンキー「１」を押下したとすると、ボタンキー「１」が押されたことを検知した信号が制御部３に入力される。制御部３は、フリップ１１ｅが開状態か閉状態かをメモリ４から読み出し、フリップ１１ｅが閉状態であることを認識するとともに、装着されたフリップがフリップ１１ｅであることを認識すると、図４（ｂ）に示すように音声メモ録音機能を動作させる。同様に、使用者がフリップボタン１３ｃを押下することによってボタンキー「３」を押下したとすると、ボタンキー「３」が押されたことを検知した信号が制御部３に入力される。制御部３は、フリップ１１ｅが開状態か閉状態かをメモリ４から読み出し、フリップ１１ｅが閉状態であることを認識するとともに、装着されたフリップがフリップ１１ｅであることを認識すると、図４（ｂ）に示すように音声メモ再生機能を動作させる。すなわち、フリップ１１ｅを折り畳み式端末装置に装着することにより、フリップ１１ｄが装着された場合と異なった機能を動作させることができ、かつ、動作させることができる機能数も変更できる。
【００４１】
次に、フリップ１１ｆが折り畳み式端末装置に装着された場合について説明する。使用者が、開状態のフリップ１１ｆを閉じると、突起体１５ｃがアクチュエータ１４ｃを介して、開閉検出スイッチ１６ｃを押す。押圧された開閉検出スイッチ１６ｃが閉じることによって、フリップ１１ｆが閉じられたことを検知した閉検知信号が制御部３に入力される。制御部３は、フリップ１１ｆが閉状態であること、及び開閉検出スイッチ１４ｃから閉検知信号を入力したことにより装着されているフリップがフリップ１１ｆであることをメモリ４に記憶させる。
【００４２】
一方、使用者が、閉状態のフリップ１１ｆを開くと、突起体１５ｃがアクチュエータ１４ｃから離れ、開閉検出スイッチ１６ｃが開くことにより、フリップ１１ｆが開いたことを検知した開検知信号が制御部３に入力される。制御部３は、開検知信号を入力すると、フリップ１１ｆが開状態であることをメモリ４に記憶させる。
【００４３】
次に、フリップ１１ｆが開状態のときに、使用者がキーボード８のボタンキー「１」を押下すると、フリップ１１ｅの開状態と同様に、表示部５に「１」が表示される。同様に、使用者がキーボード８のボタンキー「２」を押下すると、フリップ１１ｄの開状態と同様に、表示部５に「２」が表示される。また、同様に、使用者がキーボード８のボタンキー「３」を押下すると、フリップ１１ｅの開状態と同様に、表示部５に「３」が表示される。
【００４４】
また、フリップ１１ｆが閉状態のときに、使用者がフリップボタン１３ｂを押下することによってボタンキー「１」を押下したとすると、ボタンキー「１」が押されたことを検知した信号が制御部３に入力される。制御部３は、フリップ１１ｆが開状態か閉状態かをメモリ４から読み出し、フリップ１１ｆが閉状態であることを認識するとともに、装着されたフリップがフリップ１１ｆであることを認識すると、図４（ｂ）に示すように短縮ダイヤル発信１の機能を動作させる。すなわち、ボタンキー「１」が押されたときに、フリップ１１ｅが装着されていた場合の音声メモ録音機能と異なる機能を動作させることができる。同様に、使用者がフリップボタン１３ａを押下することによってボタンキー「２」を押下したとすると、ボタンキー「２」が押されたことを検知した信号が制御部３に入力される。制御部３は、フリップ１１ｆが開状態か閉状態かをメモリ４から読み出し、フリップ１１ｆが閉状態であることを認識するとともに、装着されたフリップがフリップ１１ｆであることを認識すると、図４（ｂ）に示すように短縮ダイヤル発信２の機能を動作させる。すなわち、ボタンキー「２」が押されたときに、フリップ１１ｄが装着されていた場合のマナーモードと異なる機能を動作させることができる。また、同様に、使用者がフリップボタン１３ｃを押下することによってボタンキー「３」を押下したとすると、ボタンキー「３」が押されたことを検知した信号が制御部３に入力される。制御部３は、フリップ１１ｆが開状態か閉状態かをメモリ４から読み出し、フリップ１１ｆが閉状態であることを認識するとともに、装着されたフリップがフリップ１１ｆであることを認識すると、図４（ｂ）に示すように短縮ダイヤル発信３の機能を動作させる。すなわち、ボタンキー「３」が押されたときに、フリップ１１ｅが装着されていた場合の音声メモ再生機能と異なる機能を動作させることができる。すなわち、フリップ１１ｆを折り畳み式端末装置に装着することにより、フリップ１１ｄ及び１１ｅが装着された場合と異なった機能を動作させることができ、かつ、動作させることができる機能数も変更できる。
【００４５】
実施の形態３．
上記実施の形態２では、フリップボタン１３ａ、１３ｂ、及び１３ｃの操作により特定の機能を動作させるものとしたが、フリップの開閉操作により動作させるものとしてもよい。以下、図１、図３、図４（ｃ）、図５、及び図８により、フリップ１１が開及び閉状態の動作について説明する。まず、フリップ１１ｄを折り畳み式端末装置に装着した場合について説明する。使用者が、開状態のフリップ１１ｄを閉じると、突起体１５ａがアクチュエータ１４ａを介して開閉検出スイッチ１６ａを押し、閉検知信号が制御部３に入力される。制御部３はフリップ１１ｄが閉状態になったこと、及び装着されているフリップがフリップ１１ｄであることをメモリ４に記憶させるとともに、図４（ｃ）に示すように終話の機能を動作させる。
【００４６】
一方、使用者が、閉状態のフリップ１１ｄを開くと、開閉検出スイッチ１６ａが開くことにより開検知信号が制御部３に入力される。制御部３はフリップ１１ｄが開状態であることをメモリ４に記憶させる。このとき、制御部３は別の機能を動作させてもよいが、この例では図４（ｃ）に示すように特に何も動作させない。
【００４７】
次に、フリップ１１ｅを折り畳み式端末装置に装着した場合について説明する。使用者が、開状態のフリップ１１ｅを閉じると、突起体１５ｂがアクチュエータ１４ｂを介して開閉検出スイッチ１６ｂを押し、閉検知信号が制御部３に入力される。制御部３はフリップ１１ｅが閉状態になったこと、及び装着されているフリップがフリップ１１ｅであることをメモリ４に記憶させる。このとき、制御部３は別の機能を動作させてもよいが、この例では図４（ｃ）に示すように特に何も動作させない。すなわち、フリップ１１ｄを装着した場合と異なる動作を行わせることができる。
【００４８】
一方、使用者が、閉状態のフリップ１１ｅを開くと、開閉検出スイッチ１６ｂが開くことにより開検知信号が制御部３に入力される。制御部３はフリップ１１ｅが開状態であることをメモリ４に記憶させるともに、アニメーション機能を動作させる。すなわち、フリップ１１ｄを装着した場合と異なる動作を行わせることができる。
【００４９】
さらに、次に、フリップ１１ｆを折り畳み式端末装置に装着した場合について説明する。使用者が、開状態のフリップ１１ｆを閉じると、突起体１５ｃがアクチュエータ１４ｃを介して開閉検出スイッチ１６ｃを押し、閉検知信号が制御部３に入力される。制御部３はフリップ１１ｆが閉状態になったこと、及び装着されているフリップがフリップ１１ｆであることをメモリ４に記憶させるとともに、図４（ｃ）に示すようにアニメーション機能を動作させる。すなわち、フリップ１１ｄ及び１１ｅを装着した場合と異なる動作を行なわせることができる。
【００５０】
一方、使用者が、閉状態のフリップ１１ｆを開くと、開閉検出スイッチ１６ｃが開くことにより開検知信号が制御部３に入力される。制御部３はフリップ１１ｆが開状態であることをメモリ４に記憶させるともに、メモ表示機能を動作させる。すなわち、フリップ１１ｄ及び１１ｅを装着した場合と異なる動作を行なわせることができる。
【００５１】
これによって、フリップ１１を交換するだけで、フリップ１１を開いたとき又は閉じたときに、それぞれ異なる機能を動作させることができる。
【００５２】
なお、上記実施の形態３では、フリップ１１が開かれたとき又は閉じられたときに動作させる機能を変更したが、フリップ１１が閉じられたときにフリップ１１のタイプを検出し、フリップ１１のタイプによって、バックライトの色を変える等、設定内容を変更するようにしてもよい。
【００５３】
また、上記実施の形態１〜３では、アクチュエータ１４ａ、１４ｂ、及び１４ｃと突起体１５ａ、１５ｂ、及び１５ｃがそれぞれ対応している場合であったが、本体１０にはアクチュエータ１４ａ及び１４ｂのみを実装し、アクチュエータ１４ａ及び１４ｂに対応した突起体１５を２つ設けたフリップを用いるようにすれば、アクチュエータ１４が２つに対して、３種類のフリップ１１が対応できるようにすることができる。さらに、開閉検出部９の数を増やすことで、フリップの種類を増やしてもよい。
【００５４】
また、上記実施の形態１〜３では、フリップボタン１３の数を最大３個設けたものとしているが、４個以上設けるようにしてもよい。
【００５５】
実施の形態４．
図６は、フリップ１１が本体１０に装着されている折り畳み式端末装置の外観図であり、フリップ１１は開状態である。図７は、タイプの異なる３種類のフリップ１１であり、いずれも上記折り畳み式端末装置に対して着脱可能である。図において、１８は開閉検出部９の一例であり、後述する磁石の磁力を検知して動作するリードスイッチ、１９は開閉操作部１２の一例であり、フリップ１１ｈが閉じられたときにリードスイッチ１８に近接するように該フリップ１１ｈ内に設けられた磁石である。リードスイッチ１８はスイッチ基板１７に配設されており、磁石１９はフリップ１１ｈが本体１０に装着され、フリップ１１ｈが閉じられたときに、リードスイッチ１８に対応する位置に設けられている。
【００５６】
次に、図３、図４（ｂ）、及び図６〜図８により、フリップ１１が開及び閉状態での動作について説明する。まず、フリップ１１ｇを折り畳み式端末装置に装着した場合について説明する。使用者が、開状態のフリップ１１ｇを閉じると、突起体１５ａがアクチュエータ１４ａを介して開閉検出スイッチ１６ａを押す。押圧された開閉検出スイッチ１６ａが閉じることによって、フリップ１１ｇが閉じられたことを検知した閉検知信号が制御部３に入力される。制御部３は、フリップ１１ｇが閉状態であること、及び装着されているフリップがフリップ１１ｇであることをメモリ４に記憶させる。
【００５７】
一方、使用者が、閉状態のフリップ１１ｇを開くと、突起体１５ａがアクチュエータ１４ａから離れ、開閉検出スイッチ１６ａが開くことにより、フリップ１１ｇが開いたことを検知した開検知信号が制御部３に入力される。制御部３は、開検知信号を入力すると、フリップ１１ｇが開状態であることをメモリ４に記憶させる。
【００５８】
次に、フリップ１１ｇが開状態のときに、使用者がキーボード８のボタンキー「２」を押下したとすると、ボタンキー「２」が押されたことを検知した信号が制御部３に入力される。制御部３は、フリップ１１ｇが開状態か閉状態かをメモリ４から読み出し、フリップ１１ｇが開状態であることを認識すると、表示部５に「２」を表示させる。
【００５９】
また、フリップ１１ｇが閉状態のときに、使用者がフリップボタン１３ａを押下することによってボタンキー「２」を押下したとすると、ボタンキー「２」が押されたことを検知した信号が制御部３に入力される。制御部３は、フリップ１１ｇが開状態か閉状態かをメモリ４から読み出し、フリップ１１ｇが閉状態であることを認識するとともに、装着されたフリップがフリップ１１ｇであることを認識すると、マナーモードの機能を動作させる。
【００６０】
次に、フリップ１１ｈを折り畳み式端末装置に装着した場合について説明する。使用者が、開状態のフリップ１１ｈを閉じると、磁石１９がリードスイッチ１８に接近し、リードスイッチ１８が磁力を検出して動作する。リードスイッチ１８の動作により、フリップ１１ｈが閉じられたことを検知した閉検知信号が制御部３に入力される。制御部３は、フリップ１１ｈが閉状態であること、及び装着されているフリップがフリップ１１ｈであることをメモリ４に記憶させる。
【００６１】
一方、使用者が、閉状態のフリップ１１ｈを開くと、磁石１９がリードスイッチ１８から離れるので、リードスイッチ１８が磁力を検出できなくなって動作する。これにより、フリップ１１ｈが開いたことを検知した開検知信号が制御部３に入力される。制御部３は、開検知信号を入力すると、フリップ１１ｈが開状態であることをメモリ４に記憶させる。
【００６２】
次に、フリップ１１ｈが開状態のときに、使用者がキーボード８のボタンキー「１」を押下したとすると、ボタンキー「１」が押されたことを検知した信号が制御部３に入力される。制御部３は、フリップ１１ｈが開状態か閉状態かをメモリ４から読み出し、フリップ１１ｈが開状態であることを認識すると、表示部５に「１」を表示させる。同様に、使用者がキーボード８のボタンキー「３」を押下する。ボタンキー「３」が押されたことを検知した信号が制御部３に入力される。制御部３は、フリップ１１ｈが開状態か閉状態かをメモリ４から読み出し、フリップ１１ｈが開状態であることを認識すると、表示部５に「３」を表示させる。
【００６３】
また、フリップ１１ｈが閉状態のときに、使用者がフリップボタン１３ｂを押下することによってボタンキー「１」を押下したとすると、ボタンキー「１」が押されたことを検知した信号が制御部３に入力される。制御部３は、フリップ１１ｈが開状態か閉状態かをメモリ４から読み出し、フリップ１１ｈが閉状態であることを認識するとともに、装着されたフリップがフリップ１１ｈであることを認識すると、音声メモ録音機能を動作させる。同様に、使用者がフリップボタン１３ｃを押下することによってボタンキー「３」を押下したとすると、ボタンキー「３」が押されたことを検知した信号が制御部３に入力される。制御部３は、フリップ１１ｈが開状態か閉状態かをメモリ４から読み出し、フリップ１１ｈが閉状態であることを認識するとともに、装着されたフリップがフリップ１１ｈであることを認識すると、音声メモ再生機能を動作させる。すなわち、フリップ１１ｈが閉の状態で押せるボタンキーがフリップ１１ｇを装着した場合と異なり、動作させる機能の数及び内容も変化する。
【００６４】
次に、フリップ１１ｉが折り畳み式端末装置に装着された場合について説明する。使用者が、開状態のフリップ１１ｉを閉じると、突起体１５ｃがアクチュエータ１４ｃを介して、開閉検出スイッチ１６ｃを押す。押圧された開閉検出スイッチ１６ｃが閉じることによって、フリップ１１ｉが閉じられたことを検知した閉検知信号が制御部３に入力される。制御部３は、フリップ１１ｉが閉状態であること、及び装着されているフリップがフリップ１１ｉであることをメモリ４に記憶させる。
【００６５】
一方、使用者が、閉状態のフリップ１１ｉを開くと、突起体１５ｃがアクチュエータ１４ｃから離れ、開閉検出スイッチ１６ｃが開くことにより、フリップ１１ｉが開いたことを検知した開検知信号が制御部３に入力される。制御部３は、開検知信号を入力すると、フリップ１１ｉが開状態であることをメモリ４に記憶させる。
【００６６】
次に、フリップ１１ｉが開状態のときに、使用者がキーボード８のボタンキー「１」を押下したとすると、フリップ１１ｈの開状態と同様に、表示部５に「１」が表示される。同様に、使用者がキーボード８のボタンキー「２」を押下すると、フリップ１１ｇの開状態と同様に、表示部５に「２」が表示される。さらに、同様に、使用者がキーボード８のボタンキー「３」を押下すると、フリップ１１ｈの開状態と同様に、表示部５に「３」が表示される。
【００６７】
また、フリップ１１ｉが閉状態のときに、使用者がフリップボタン１３ｂを押下することによってボタンキー「１」を押下したとすると、ボタンキー「１」が押されたことを検知した信号が制御部３に入力される。制御部３は、フリップ１１ｉが開状態か閉状態かをメモリ４から読み出し、フリップ１１ｉが閉状態であることを認識するとともに、装着されたフリップがフリップ１１ｉであることを認識すると、短縮ダイヤル発信１の機能を動作させる。同様に、使用者がフリップボタン１３ａを押下することによってボタンキー「２」を押下すると、ボタンキー「２」が押されたことを検知した信号が制御部３に入力される。制御部３は、フリップ１１ｉが開状態か閉状態かをメモリ４から読み出し、フリップ１１ｉが閉状態であることを認識するとともに、装着されたフリップがフリップ１１ｉであることを認識すると、短縮ダイヤル発信２の機能を動作させる。さらに、同様に、使用者がフリップボタン１３ｃを押下することによってボタンキー「３」を押下すると、ボタンキー「３」が押されたことを検知した信号が制御部３に入力される。制御部３は、フリップ１１ｉが開状態か閉状態かをメモリ４から読み出し、フリップ１１ｉが閉状態であることを認識するとともに、装着されたフリップがフリップ１１ｉであることを認識すると、短縮ダイヤル発信３の機能を動作させる。すなわち、フリップ１１ｉが閉の状態で押せるボタンキーが、フリップ１１ｇ及びフリップ１１ｈを装着した場合と異なり、動作させる機能の数及び内容も変化する。
【００６８】
これによって、フリップ１１を交換するだけで、フリップボタン１３押下時の機能の数及び内容を変化させることができる。
【００６９】
なお、上記実施の形態１、２、又は４では、開閉操作部としてフリップ１１に設けられたフリップボタン１３を使用したが、フリップ１１を閉状態で覆われない箇所に設けたボタンキーを使用してもよい。
【００７０】
【発明の効果】
以上述べたように、この発明は、押圧されると押されたことを検知した信号を出力し、押圧がなくなると押されていないことを検知する信号を出力する検出スイッチを複数有し、これら複数の検出スイッチが互いに異なる位置に設けられた本体、上記複数の検出スイッチの少なくともいずれか一つに対応する位置に設けられた突起体、この突起体が設けられ、上記本体に対して着脱可能に装着された装着部材、上記突起体を異なる位置に設けた装着部材の選択により、上記検出スイッチから異なる信号が入力され、上記本体に異なる機能を動作させる制御部を備え、上記本体に上記装着部材が装着された場合に上記突起体が上記複数の検出スイッチのいずれかを押圧し、当該押圧された検出スイッチから出力された信号に応じて、上記制御部が上記複数の信号処理動作から選択した信号処理動作を行うので、信号処理装置を多機能化することができる。
【００７１】
【図面の簡単な説明】
【図１】  この発明の実施の形態１〜３に係るフリップが本体に装着されている折り畳み式端末装置の外観図である。
【図２】この発明の実施の形態１に係るタイプの異なる３種類のフリップである。
【図３】この発明に係る折り畳み式端末装置のフリップ閉状態における開閉検出部及びフリップボタン周辺の外観図及び断面図である。
【図４】この発明におけるフリップ交換による機能の変化例を示す表である。
【図５】  この発明の実施の形態２及び３に係るタイプの異なる３種類のフリップである。
【図６】  この発明の実施の形態４に係るフリップが本体に装着されている折り畳み式端末装置の外観図である。
【図７】  この発明の実施の形態４に係るタイプの異なる３種類のフリップである。
【図８】従来における折り畳み式端末装置の構成を示すブロック図である。
【図９】  従来の折り畳み式端末装置におけるフリップが本体に装着されている折り畳み式端末装置の外観図である。
【図１０】  従来の折り畳み式端末装置におけるフリップ閉状態における開閉検出部及びフリップボタンの周辺構造を示す断面図である。
【符号の説明】
３  制御部
４  メモリ
８  キーボード
９  開閉検出部
１０  本体
１１  フリップ
１３  フリップボタン
１５  突起体
１８  リードスイッチ
１９  磁石
【図１】
0003888131.tif 000002
【図２】
0003888131.tif 000003
【図３】
0003888131.tif 000004
【図４】
0003888131.tif 000005
【図５】
0003888131.tif 000006
【図６】
0003888131.tif 000007
【図７】
0003888131.tif 000008
【図８】
0003888131.tif 000009
【図９】
0003888131.tif 000010
【図１０】
0003888131.tif 000011